(57)【要約】【課題】トレンカに固着部を設けて収納保護部に固着するとともにトレンカを足裏まで伸延させず足底に硬質の素材を使用しない構成としているため、痛みの伴わない装着感であり、高い保持効果を得るサポート器具を提供する。【解決手段】足首全体を覆う柔軟性のある素材からなるサポータ本体と、サポータ本体の上から脚の足首を両側より被覆する円弧状に湾曲した一対の固定部と、固定部に装着される側面に固着部の設けられた足裏付近まで延びたトレンカと、トレンカを固定部に揺動自在に係合させるヒンジ部と、サポータ本体の外側に左右のくるぶしから足裏略中央部に達する袋状に縫い付けられた固着部の設けられた収納保護部と、固定部とサポータ本体とを脚に装着するバンド部と、からなり、トレンカの固着部と収納保護部の固着部とを固着接合する構成である。【選択図】      図１
2004147867.tif 000002
【特許請求の範囲】
【請求項１】
足首を保護するサポータ器具において、足首全体を覆う柔軟性のある素材からなるサポータ本体と、該サポータ本体の上から脚の足首を両側より被覆する円弧状に湾曲した一対の固定部と、該固定部に装着される側面に固着部の設けられた足裏付近まで延びたトレンカと、該トレンカを前記固定部に揺動自在に係合させるヒンジ部と、前記サポータ本体の外側に左右のくるぶしから足裏略中央部に達する袋状に縫い付けられた固着部の設けられた収納保護部と、固定部とサポータ本体とを脚に装着するバンド部と、からなり、前記トレンカの固着部と収納保護部の固着部とを固着接合することを特徴とするサポート器具
【請求項２】
前記トレンカの固着部は、面ファスナーであることを特徴とする請求項１記載のサポート器具
【請求項３】
前記ヒンジ部は、軸受けと係合するキャップと、トレンカおよび固定部と係合する軸受けと、軸受けと固定部の間に嵌装されるワッシャと、からなることを特徴とする請求項１記載のサポート器具。
【請求項４】
前記ヒンジ部は、足先方向に揺動可能な構成であることを特徴とする請求項１または３いずれか記載のサポート器具。
【請求項５】
前記バンド部は、長方形の伸縮性のある布材からなり、両端は足首上方で固定部とサポータ本体とを脚に巻き付けるための面ファスナーが装備されていることを特徴とする前記請求項１記載のサポート器具
【発明の詳細な説明】
【０００１】
【発明の属する技術分野】
本発明は、足および足首を保護するサポート器具に関し、特に足および足首の動きに応動して揺動するヒンジ部をサポータ本体に装備するとともに側面から足裏に向かって延びるトレンカが足底には達してない構造のサポート器具に関する。
【０００２】
【従来の技術】
【特許文献１】特開２０００−１０２５５３号公報
【０００３】
スポーツ等において、足や足首を始めとする各種の関節を保護するサポート器具は数多く普及している。サポート器具は体の弱点を補強し、かつ保護する目的で装着されるものである。スポーツ医学が発展した近年では、スポーツをする際に弱点を補助するサポータは無くてはならないものとなっている。
サポータは主に、肘や膝等の運動量の多い関節部分に装着されることが多く、捻挫や骨折等から身を守るための補助器具として認知されている。また、捻挫等の怪我を起こしてしまった場合にも、治療に際し損傷部の動きを補助する目的で関節等を固定する補助器具として用いられている。
【０００４】
近年、ダイエットや、筋力作りでジョギング等を行う人も増加しているが、大部分がアスファルトで舗装された道を走ることが多い。ジョギング等の運動そのものは健康に良いが、走る道がアスファルトで舗装されているために、足首にかかる負担が大きくなり却って問題を生じている。アスファルトの舗装がされていない土や芝等の上だけを選んで運動をすることも考えられるが、そのような場所が少ないため、アスファルトの上で運動せざるを得ないのが現状である。特に、足首関節の捻挫や挫傷・怪我は人間の体の関節の中でも損傷を受ける機会の多い箇所として知られている。そこで、足首等の関節を怪我から守るためにサポータが広く一般的に使用されている。
また、スポーツ以外でも、老人の関節痛防止のためにサポート器具が使用されている場合もある。
【０００５】
従来の技術として、例えば「足関節装具」（特開２０００−１０２５５３号公報）の発明が開示されている。この出願で開示されている発明は、伸縮性のある本体と、硬性素材からなる側方支柱板と、硬性素材からなる前シェル部と、左右側方支柱板の下端にヒンジ式に連結された下部側方支柱部材と、一方の下部側方支柱から他方の下部側方支柱まで足底を渡って連結する構成の足底ベルトとからなる構成であるが、硬質の素材からなる足底ベルトが足裏に存在することは装着感が悪く、運動の最中に足底に違和感を生じると言う欠点があった。
また、従来から側面に固定部を設け、足裏にはトレンカの役割をする板状若しくは帯状の部材を配置する器具が開発されていたが、足裏に違和感のない快適で効率の良いサポート器具等を開発するのが課題であった。
【０００６】
本発明の出願人は、特願２００２−１０３０２２号「サポート器具」で開示したサポート器具の開発を行っている。このサポート器具は、足首を保護する固定部と、足部に装着される左右に分離され中央をストレッチ性繊維で連結したトレンカと、該固定部とトレンカとを揺動自在に連結するヒンジ部とからなる外装簡易人工関節をサポータ本体に装備して、足首を堅固に固定して外旋・内旋の捻挫等から守る構成である。しかし、この構成のサポート器具は、硬質の素材からなるトレンカが足裏にまで伸延している構成であるため、歩行や各種の運動をすると足裏のトレンカ部分に痛みが生じる欠点があった。また、構成部品が多いため、装着に手間取るという問題もあった。また、左右のトレンカが結合している柔軟性のあるトレンカの役割をするストレッチ性繊維が摩擦により切れることがあり、耐久性に乏しく、充分な固定効果を得られないという問題があった。
そこで、出願人は上記問題を解決するためのサポート器具の開発を行い本発明の創作に至った。
【０００７】
【発明が解決しようとする課題】
上記問題を解決するために本発明のサポート器具は、トレンカに固着部を設けて収納保護部に固着するとともにトレンカを足裏まで伸延させず足底に硬質の素材を使用しない構成としているため、痛みの伴わない装着感であり、且つ高い保持効果を得ることのできるサポート器具を提供することを目的としている。
【０００８】
【課題を解決するための手段】
上記目的を達成するために本発明に係るサポート器具は、足首を保護するサポータ器具であって、足首全体を覆う柔軟性のある素材からなるサポータ本体と、該サポータ本体の上から脚の足首を両側より被覆する円弧状に湾曲した一対の固定部と、該固定部に装着される下部側面に固着部の設けられた足裏付近まで延びたトレンカと、該トレンカを前記固定部に揺動自在に係合させるヒンジ部と、前記サポータ本体の外側に左右のくるぶしから足裏略中央部に達する袋状に縫い付けられた固着部の設けられた収納保護部と、固定部とサポータ本体とを脚に装着するバンド部と、からなり、前記トレンカの固着部と収納保護部の固着部とを固着接合する構成である。
【０００９】
また、トレンカの固着部は、面ファスナーからなり、ヒンジ部は、軸受けと係合するキャップと、トレンカおよび固定部と係合する軸受けと、軸受けと固定部の間に嵌装されるワッシャとからなる構成である。
さらにヒンジ部は、足先方向に揺動可能な構成である。
また、バンド部は、長方形の伸縮性のある布材からなり、両端には足首上方で固定部とサポータ本体とを脚に巻き付けるための面ファスナーが装備されている構成である。
【００１０】
【作用】
本発明に係るサポート器具は、柔軟性のある素材からなるサポータ本体の外側に人体の動きに応動する人工関節を外装した構成であり、サポータ本体と固定部とを足首の上部付近に面ファスナーを利用して装着する構造である。保護する足首をサポータ本体に挿入し、固定部に連結した足底までは伸延しないトレンカの下部側面に設けられている固着部と袋状の収納保護部の内側に設けられている固着部とを固着接合させてからバンドを足首に巻きつけて面ファスナーでサポート器具の全体を脚に装着する。足底には硬質部材が存在しないので、全体の装着感が良く、サポータ本体が足首を保護するとともに、従来のサポート器具よりも動き易く、体重が乗っても足裏のトレンカ部分に痛みが生じる事はなく、且つトレンカの側面保護機能は減殺されることはない。更に外旋運動および内旋運動による捻挫・挫傷等の怪我の発生を未然に防止して損傷が起こり難くすることが可能である。
また、左右から延びたトレンカを足裏で連結接続する構成ではないので連結部に力がかかっても壊れる構造でもないので耐久性がある。
【００１１】
【発明の実施の形態】
以下に本発明に係るサポート器具を図面に示す実施例により詳細に説明する。
図１は本発明のサポート器具の斜視図であり、図２は図１の実施例の中央断面図であり、図３は別の実施例の中央断面図である。図４（ａ）〜（ｂ）はトレンカの側面図であり（ｃ）は収納保護部の底面図である。図５は本発明のさらに別の実施例の中央断面図である。
本発明に係るサポート器具１０は図１で示すように、サポータ本体２０と、一対の固定部３０，３１と、トレンカ４０，４１と、ヒンジ部５０，５１と、袋状の収納保護部６０と、バンド部７０とからなる。
【００１２】
サポータ本体２０は、足首全体を覆う柔軟性のある素材からなる踵とつま先の無い靴下型の円筒体からなる。サポータ本体２０は図１に示すように、装着時に足先と踵が露出するように該当部分が切り欠かれた筒状体からなり、踵とつま先以外の足と足首全体を筒状に覆う伸縮性に優れた素材で構成された円筒体である。サポータ本体２０は、装着時に怪我をしやすい足および足首の関節部全体を覆うことにより、足と足首を確実に保持し、関節にかかる負担を低減させている。
【００１３】
サポータ本体２０の材質は、伸縮性のない素材で代用することも可能ではあるが、装着時に不便であり、さらに装着後も密着させてサポータ機能を発揮させることに重点があるので伸縮性のある素材を選択するのが望ましい。
サポータ本体２０の素材の表面は、全体を後述するトレンカに設けられた面ファスナを接合できる雄型または雌型の面ファスナ素材（たとえばループ型面またはフック面素材）で構成することも可能である。
【００１４】
固定部３０，３１は、サポータ本体の上から脚の足首を両側より被覆する円弧状に湾曲した硬質の素材からなる左右一対の部材である。図１に示すように、脚の足首を両側から被覆するやや円弧状に湾曲した略長方形の部材で、足首の形状に合致するように円弧状に形成されている。固定部とサポータ本体は足首の上方に後述するバンド部７０によって脚に装着される。脚の左右によって足首の形状が異なる（または対称となる）ので、一対の固定部は、脚の左右によって略対称的な形状となる。また、固定部３０，３１は、後述するトレンカ４０と軸受けを介して揺動自在に係合する構成であり、軸受けと係合するようにワッシャと軸受けと同形状の凹部が設けられている。また、凹部には軸受けと係合する長孔が穿設されている。この長孔はヒンジ部５０、５１が揺動可能となるように軸受けより大きくまた、横に長い構造となっている。足首を確実に固定するために、この実施例では固定部３０，３１に可塑性のプラスチック素材が用いられている。ただし足首を固定できる硬度のある素材であればプラスチック素材以外の素材でも形成可能である。
【００１５】
トレンカ４０，４１は、図１で示すように脚のくるぶし付近から足の形状に沿って収納保護部内部に先端を有する左右一対の部材４０，４１であり、トレンカ上部はヒンジ部により揺動可能に固定部と係合している構成である。トレンカ下部の側面には固着部４２が設けられており、該固着部は後述する袋状の収納保護部６０の内部で相手先の固着部６２と接合する構成である。図１に示す実施例では固着部４２は外側面に設けられているが、図２で示す実施例やその他の実施例では固着部をトレンカの両側面に設けることも可能である。
【００１６】
図１と図２に示す実施例ではトレンカの外側面に固着部４２（雄または雌型面ファスナ）が設けられ、一方、後述する保護部材６０の袋体の内側面に設けられた固着部６２（雄または雌型に対応する面ファスナ）と接合させてトレンカを保護部材の中に固定する。トレンカは足底まで伸延するものではなく、また左右のトレンカが接続部材で連結されている構造ではないが、サポート本体に堅固に固着されているので足および足首は充分に保護される。
【００１７】
トレンカ４０、４１の素材は、固定部と同一の素材である可塑性のプラスチック素材が用いられている。しかし固定部と同様に固定できる硬度のある素材であればプラスチック素材以外の素材でも形成可能である。
また、図５で示す構成は、トレンカ４０若しくは４１の固着部４２に面ファスナ４６を接合させて、他方のトレンカまで収納保護部６０内部を通して接合させる構成であり、このような構成のサポート器具とすることも可能である。
【００１８】
ヒンジ部５０，５１は、ワッシャ（図示しない）とトレンカおよび固定部と係合する軸受け（図示しない）と軸受けと係合するキャップとからなり、固定部３０，３１に穿孔されている長孔と、トレンカ４０，４１に穿孔されている孔により、トレンカ４０，４１を固定部３０，３１に揺動自在に係合させる構成である。また、ヒンジ部は、固定部に穿孔されている長孔や、ワッシャが軸受けと固定部の凹部の間に嵌装されることにより前後に揺動自在となっているため、激しい運動をした際でも係合が外れてしまう事を防止でき、確実に保持できる構成である。
【００１９】
袋状の収納保護部６０は、サポータ本体２０の表面に逢着された袋体であり、袋の中にトレンカを収納固着するとともに足裏を過度の衝撃から守る機能も持つ二重構造部である。衝撃吸収素材を配置しており、足側面から足裏を覆って保護する構成である。図１に示すようにサポータ本体２０に直接縫い付けられている構成であり、激しい運動を行ってもずれたり取れたりする心配がない。
図２に示すように、この袋状に形成された収納保護部内部の固着部６２の面ファスナでトレンカ４０，４１の固着部４２の面ファスナに固着接合する構成である。
袋状の収納保護部６０の材質をループ型面またはフック面素材とすることも可能である。そのような構成であれば、袋状の収納保護部６０の全体が固着部となるので固着部を設ける必要がなくなる。
【００２０】
さらに、片方のトレンカを固定した構成も可能であり、図３に示す実施例では、外側トレンカの先端には両面に面ファスナが取り付けられ、保護部と本体ファスナに接合させる仕様とする構成である。
この構成では、トレンカは足底に存在しない構造であるが、収納保護部６０が足裏全体の保護部となり、かつ左右のトレンカ４０、４１を実質的に接合することになり、左右の固定部と左右のトレンカと収納保護部が一体となって足首を保持することが可能となる。図５のさらに別の実施例の構成のように足裏にも面ファスナーを設けている構成も可能であるが、正確には面ファスナが左右のトレンカを接合している構成ではないので足裏部は面ファスナ素材である必要はない。図１または図３の実施例のような構成にすることにより耐久性のある保持効果が高く、確実に足首を保持することを可能にした効果をうることが出来る。それにより、外旋運動、および内旋運動による捻挫を起こり難くすることが可能である。
【００２１】
図３に示す別の実施例ではトレンカの両側面に固着部４２（面ファスナ）が設けられているので、トレンカを適宜の箇所で保護部６０の袋体の内側面に接合することが可能である。
トレンカは足底まで伸延するものではなく、また左右のトレンカが接続部材で連結されている構造ではないが、サポート本体に堅固に固着されているので足および足首は充分に保護される。
【００２２】
バンド部７０は、図１に示すように、長方形の伸縮性のある布状の部材であり、固定部３０，３１とサポータ本体２０を同時に覆って足首に装着保持する部材であり、足首の上方に足首に巻き付くように装着され、この実施例では足首の後背側（裏側）部分で面ファスナーにより固着される。固定部３０，３１と、サポータ本体２０を保持する役割があり、激しい運動をしても確実に保持できる構成である。通常のサポータでは、ヒンジ機構は無く全てが一体化しているため、トレンカ等からの過度な力がバンド部にかかると保持することが不完全となる欠点があった。しかし、本発明では人体の動きに応動して移動可能なヒンジ部５０、５１およびサポータ本体２０に縫い付けられている収納保護部６０を装備することによりサポート器具１０が過剰な力を受け止めて人体の関節を直撃することを回避することが可能であるため、バンド部７０の一箇所で保持することが可能である。
【００２３】
本発明のサポート器具は、従来の欠点を補い、更に運動解剖学的根拠から発明した構造であるため、足首にかかる負担を軽減する構造である。また、サポータ本体２０に収納保護部６０が最適な保持を維持し、ヒンジ部５０，５１が揺動可能であるため、外旋運動および内旋運動による捻挫等の怪我を回避することができる。また、スポーツに限らず老人等や足腰の弱い人や、リハビリ医療等で使用することにより、安心して歩行することが可能となる。
図面に示す実施例では右足用の実施例について詳述しているが、ほぼ同様に左足用の実施例も実施することが可能である。
【００２４】
更に、本発明のサポート器具は、足首に非常に負担のかかるスキー靴や登山靴等の内部に装備して使用する事も可能である。スキー等の足に非常に負担のかかる激しいスポーツは、現状では、靴内部に装備された素材が簡易な包帯状や筒状のサポータが使用されており、保持効果は全く期待できるものではなかった。しかし、本発明のサポート器具を使用する事により、足首を確実に保持したまま激しいスポーツをしても怪我の危険性を低減させることが可能となる。
【００２５】
図５に示すさらに別の実施例ではトレンカの外側面に固着部４２（面ファスナ）が設けられ、一方、後述する保護部材６０の袋体の内側面に設けられた固着部６２（面ファスナ）と接合させてトレンカを保護部材の中に固定する。トレンカは足底まで伸延するものではなく、また左右のトレンカが接続部材で連結されている構造ではないが、サポート本体に堅固に固着されているので足および足首は充分に保護される。
【００２６】
【発明の効果】
以上に説明したように本発明に係るサポート器具によると、
１．サポータ本体と固定部とトレンカとヒンジ部と収納保護部と、固定部とサポータ本体とを脚に装着するバンド部とからなる簡単な構造のサポート器具を提供でき、更に、トレンカの固着部と収納保護部の固着部とを接合固着して足首を確実に保持することができるサポート器具を提供することが可能である。
２．トレンカの固着部は、面ファスナーで構成することが可能であるため、着脱を簡単にすることが可能である。
【００２７】
３．ヒンジ部は、軸受けと係合するキャップと、トレンカおよび固定部と係合する軸受けと、軸受けと固定部の間に嵌装されるワッシャとからなり、固定部とトレンカを回動自在に係合させることが可能となる。
４．また、ヒンジ部は、固定部の係合する孔が長孔であるため、足先方向に揺動可能である。
５．バンド部は、長方形の伸縮性のある布材からなり、両端は足首上方でサポート器具とサポータ本体とを脚に巻き付けるための面ファスナーが装備されているため、サポート器具を簡単に着脱することが可能となる。
【図面の簡単な説明】
【図１】本発明のサポート器具の斜視図
【図２】図１の実施例の中央断面図
【図３】図３は別の実施例の中央断面図
【図４】（ａ）〜（ｂ）はトレンカの側面図（ｃ）は収納保護部の底面図
【図５】本発明のさらに別の実施例の中央断面図
【符号の説明】
１０    サポート器具
２０    サポータ本体
３０，３１    一対の固定部
４０，４１    トレンカ
４２    固着部
４６    面ファスナー
５０，５１    ヒンジ部
６０    収納保護部
６２    固着部
７０    バンド部
【図１】
2004147867.tif 000003
【図２】
2004147867.tif 000004
【図３】
2004147867.tif 000005
【図４】
2004147867.tif 000006
【図５】
2004147867.tif 000007